(57)【要約】【課題】リモコン装置による誤操作を低減させるとともにより適切な運転モードの設定を案内することを課題とする。【解決手段】本実施例の空気調和機は、設定温度と室内温度との差である設定温度差が、設定された運転モードで運転すべき温度差であるかを判定する第１判定ステップと、設定温度及び外気温度に基づいて、運転を継続すべきか又は運転を停止して外気を取り込むべきかを判定する第２判定ステップと、設定温度及び室内温度に基づいて、運転モードの設定が使用者の誤操作であるかを判定する第３判定ステップと、室内温度及び室内湿度に基づいて、設定された運転モードに代えて除湿運転モードを選択すべきかを判定する第４判定ステップと、を実行し、少なくとも第１判定ステップ乃至第４判定ステップの何れかの判定結果を使用者に案内する。【選択図】図１
2014149099.tif 000002
【特許請求の範囲】
【請求項１】
室内機と、前記室内機を遠隔で操作するリモコン装置と、を備え、
前記リモコン装置は、
運転モード及び設定温度を表示する表示部と、
前記運転モード及び前記設定温度の設定操作を行う操作部と、
前記操作部により操作された設定に基づいて処理する制御部と、
前記制御部で処理された設定を空調機に送信する信号送信部と、
を有し、
使用者により前記操作部を介して運転モード及び設定温度が設定されると、前記制御部は、
前記設定温度と室内温度との差である設定温度差が、設定された前記運転モードで運転すべき温度差であるかを判定する第１判定ステップと、
前記設定温度及び外気温度に基づいて、運転を継続すべきか又は運転を停止して外気を取り込むべきかを判定する第２判定ステップと、
前記設定温度及び室内温度に基づいて、前記運転モードの設定が使用者の誤操作であるかを判定する第３判定ステップと、
室内温度及び室内湿度に基づいて、前記設定された運転モードに代えて除湿運転モードを選択すべきかを判定する第４判定ステップと、
を実行し、
少なくとも前記第１判定ステップ乃至前記第４判定ステップの何れかの判定結果を前記使用者に案内する空気調和機。
【請求項２】
請求項１において、
前記判定結果を前記表示部に表示することにより、前記判定結果を前記使用者に案内する空気調和機。
【請求項３】
請求項２において、
前記リモコン装置は前記判定結果に応じた警告音を発生する警告音発生手段を有し、
前記判定結果を前記表示部に表示する際に、前記警告音発生手段から警告音を発生する空気調和機。
【請求項４】
請求項１乃至３の何れかにおいて、
前記室内機は音声発信部を有し、
前記判定結果を前記リモコン装置から室内機に送信し、前記室内機は前記音声発信部による音声アナウンスにより、前記判定結果を前記使用者に案内する空気調和機。
【発明の詳細な説明】
【技術分野】
【０００１】
本発明は、遠隔制御に用いられるリモコン装置を備えた空気調和機に関する。
【背景技術】
【０００２】
空気調和機は設定温度に対してセンサで検出した室内温度を近づけることを目的として、設定温度に到達するまで室内温度を監視し、熱交換器を通して温風または冷風を送り出す。
【０００３】
ここで、設定温度と運転モードの関係は制御上重要なパラメータである。例えば設定温度、現在室内温度が同じであっても暖房運転と冷房運転では制御が異なり、暖房運転で設定温度が現在室内温度より低い場合はサーモオフとして認識され動作しない。逆に冷房運転で設定温度が現在室内温度より低い場合はサーモオフとして認識され動作しない。
【０００４】
しかしながら、リモコン装置では設定温度が重要であるがゆえに運転モードより目立つ表示とするケースが多く、操作する使用者にとって運転モードを確認せずに設定温度を確認しただけで希望する運転が開始されると誤認識される、または、誤操作したことに気付かれない場合がある。
【０００５】
また、昨今の空気調和機には、運転モードを自動に設定する機能を有する機器が殆どであるが、自動設定の不透明さを嫌う使用者にとって自動運転が敬遠されている実態もある。
【先行技術文献】
【特許文献】
【０００６】
【特許文献１】特願２００９−１７７１３６号公報
【発明の概要】
【発明が解決しようとする課題】
【０００７】
本発明は、リモコン装置による誤操作を低減させるとともにより適切な運転モードの設定を案内する空気調和機を提供することを課題とする。
【課題を解決するための手段】
【０００８】
本発明の空気調和機は、室内機と、前記室内機を遠隔で操作するリモコン装置と、を備え、リモコン装置は、運転モード及び設定温度を表示する表示部と、運転モード及び設定温度の設定操作を行う操作部と、操作部により操作された設定に基づいて処理する制御部と、制御部で処理された設定を空調機に送信する信号送信部と、を有し、使用者により操作部を介して運転モード及び設定温度が設定されると、制御部は、設定温度と室内温度との差である設定温度差が、設定された運転モードで運転すべき温度差であるかを判定する第１判定ステップと、設定温度及び外気温度に基づいて、運転を継続すべきか又は運転を停止して外気を取り込むべきかを判定する第２判定ステップと、設定温度及び室内温度に基づいて、運転モードの設定が使用者の誤操作であるかを判定する第３判定ステップと、室内温度及び室内湿度に基づいて、設定された運転モードに代えて除湿運転モードを選択すべきかを判定する第４判定ステップと、を実行し、少なくとも第１判定ステップ乃至第４判定ステップの何れかの判定結果を使用者に案内する。
【発明の効果】
【０００９】
本発明によれば、リモコン装置による誤操作を低減させるとともにより適切な運転モードの設定を案内することができる。
【図面の簡単な説明】
【００１０】
【図１】本リモコンの冷房運転開始判定処理を示すフロー図。
【図２】本リモコンの構成を示すブロック図。
【発明を実施するための形態】
【００１１】
本実施例の空気調和機は、室内機と、前記室内機を遠隔で操作するリモコン装置と、を備え、リモコン装置は、運転モード及び設定温度を表示する表示部と、運転モード及び設定温度の設定操作を行う操作部と、操作部により操作された設定に基づいて処理する制御部と、制御部で処理された設定を空調機に送信する信号送信部と、を有し、使用者により操作部を介して運転モード及び設定温度が設定されると、制御部は、設定温度と室内温度との差である設定温度差が、設定された運転モードで運転すべき温度差であるかを判定する第１判定ステップと、設定温度及び外気温度に基づいて、運転を継続すべきか又は運転を停止して外気を取り込むべきかを判定する第２判定ステップと、設定温度及び室内温度に基づいて、運転モードの設定が使用者の誤操作であるかを判定する第３判定ステップと、室内温度及び室内湿度に基づいて、設定された運転モードに代えて除湿運転モードを選択すべきかを判定する第４判定ステップと、を実行し、少なくとも第１判定ステップ乃至第４判定ステップの何れかの判定結果を使用者に案内するので、リモコン装置による誤操作を低減させるとともにより適切な運転モードの設定を案内することができる。
【００１２】
図１は、本発明の冷房運転時の運転開始時の判定処理フローを示した図である。ステップＳ１０からステップＳ１７０に渡り操作時の条件により適宜処理を実行する。図２はリモコンと室内機の構成を示すブロック図である。
【００１３】
空気調和機のリモコン装置１はＣＰＵ２とサーミスタ３、ＲＯＭ４、操作用キー５、表示部６、赤外線発光部７、赤外線受光部８を備える。また、空気調和機の室内機１０には赤外線発光部９、赤外線受光部１１、表示部１２、湿度センサ１３、ＣＰＵ１４を備える。リモコン１に備えたサーミスタ３によって室内温度を検出する。室内機１０の湿度センサ１３で検出した湿度及び室外機と室内機との通信により取得した外気温度を、室内機１０に備えた発光部９から発行した赤外線データにより、リモコン内受光部８に取り込むことが可能である。
【００１４】
リモコン１は表示部６により判定結果を案内する情報を表示する。リモコン１の発光部８から送信した赤外線データを室内機１０内の受光部１１が受信することにより取得する情報を室内機１０に備えた表示部１２に表示することも可能である。発光部８、９や受光部７，１１による赤外線無線通信の変わりに有線接続する通信方式であってもよい。
【００１５】
リモコン１には、運転モード毎に設定温度と室内温度の差の判定値、つまり運転を開始すべきか判定するため運転必要温度差をＲＯＭ４に記憶しておく。例えば冷房運転では冷房運転必要温度差を０℃とし、設定温度差が０℃以下の場合をサーモオフとする。
【００１６】
リモコン１に備えたキー５には、運転モードを切替える目的、設定温度を変える目的、運転を開始する又は停止する目的のように目的に合わせ複数のキーから成り立つ。
【００１７】
空気調和機の運転を開始するためにキー５のうち「運転開始」を操作したことによって運転を開始する。
【００１８】
ステップＳ１０で、室内温度、湿度、外気温度を取得する。
【００１９】
ステップＳ２０で、設定温度差を設定温度−室内温度で算出する。
【００２０】
ステップＳ３０で、室内温度、室内湿度より不快指数を算出する。
【００２１】
ステップＳ４０で、設定温度差がＲＯＭ４に記憶された冷房運転必要温度差より大きい場合は、冷房運転を開始すべき条件であることからステップＳ１７０に進み、即冷房運転を開始する。設定温度差が冷房運転必要温度より小さい場合はさらに判定を要するためステップＳ５０に進む。
【００２２】
ステップＳ５０で、設定温度より外気温度が低い場合は、冷房運転を開始するよりも窓を開けて外気を取り込むことの方が省エネに繋がることから、外気温度が低い旨のメッセージをリモコン表示部６に表示するためステップＳ１２０に進む。設定温度が外気温度より低い場合は、さらに判定を要するためステップＳ６０に進む。
【００２３】
ステップＳ６０で、設定温度が室内温度より高い場合は、暖房運転との誤操作の可能性があることからその旨のメッセージをリモコン表示部６に表示するためステップＳ１３０に進む。設定温度が室内温度より同じか低い場合はステップＳ７０に進む。
【００２４】
ステップ７０では不快指数の判定を行い、不快指数が高い場合は設定温度差が小さいが不快指数が高いため除湿運転を進める旨の案内をリモコン表示部６に表示するためステップＳ１４０に進む。不快指数が低い場合は、結果的に既に使用者の希望する設定温度に近く。他に勧めるべき運転モードもないため待機状態である旨のメッセージをリモコン表示部６に表示するためにステップＳ８０に進む。
【００２５】
ステップＳ８０、Ｓ１２０、Ｓ１３０、Ｓ１４０ではそれぞれリモコン表示部６に条件判定別にメッセージを表示しており、ステップＳ９０に進み使用者のキー操作による入力を監視する。
【００２６】
ステップＳ９０で、キー操作が発生した場合はＳ１００に進む。
【００２７】
ステップＳ１００で、「運転中止」のキー操作があった場合はステップＳ１１０に進み運転を取りやめる。「運転中止」キーではない場合ステップＳ１５０に進み、キー操作が「運転モード」を除湿に切り替える場合は除湿運転を開始、そうでない場合は冷房運転を開始する。
【００２８】
なお、リモコン表示部６にメッセージを表示するだけでなく、室内機との双方向通信により室内機の表示部１２にメッセージを表示してもよい。また、表示部だけでなく音声データを出力する装置によりメッセージを音声により読み上げてもよい。これによりさらなる注意喚起を促す効果が得られる。
【００２９】
ここで、Ｓ９０でキー操作入力待ちには時間制限を持たせ、制限時間内に入力がなければ冷房運転を実施する処理を行う。これによりメッセージに気付かない場合でも当初のキー操作に従った運転を開始することができる。
【００３０】
本実施例では冷房運転についての処理フローを示したが、暖房運転時は設定温度、室内温度の扱いを冷房運転の設定温度、室内温度との関係に対して逆にするものであり同様の判定をすることで暖房運転時の誤操作や、よりお勧めの運転の案内として実現できるものである。
【符号の説明】
【００３１】
Ｓ１０…室内温度、湿度、外気温度取得制御
Ｓ２０、Ｓ３０…設定温度差算出、不快指数算出制御
Ｓ４０、Ｓ５０、Ｓ６０、Ｓ７０、Ｓ１００、Ｓ１５０…条件判定制御
Ｓ８０，Ｓ１２０、Ｓ１３０Ｓ１４０…メッセージ出力制御
Ｓ９０…キー操作入力制御
Ｓ１１０，Ｓ１６０、Ｓ１７０…運転設定制御
【図１】
2014149099.tif 000003
【図２】
2014149099.tif 000004